(57)【要約】【課題】製造コストの軽減化と併せて、ロケーション先で被害を受けて破損した扉の部分的な補修に対応でき、さらに扉構成部品の一部を共用して顧客別のデザイン変更にも容易に対応できるように改良した自動販売機の外扉を提供する。【解決手段】自動販売機のキャビネット前面に配した外扉２の扉本体を、電照室,販売操作部，商品取出口,その他に対応するユニット１８〜２２に分けた上で、各ユニットを扉枠２３と組み合わせて一枚の扉に組み立てるものとし、具体的には前記の各ユニットを鋼板製のユニット基板に当該ユニットのアセンブリ部品を組み付けて構成し、かつ前記ユニットの相互間およびユニットと扉外枠部材とを縁曲げ嵌め合い結合して一枚の扉に組み立てる。【選択図】        図１
2005228285.tif 000002
【特許請求の範囲】
【請求項１】
自動販売機の前面に配した片開き式の外扉であって、その扉本体に電照室，販売操作部，商品取出口，および扉ヒンジ，扉ロックに対応するアセンブリ部品を組み付けたものにおいて、
扉本体を前記電照室，販売操作部，商品取出口を個別もしくはグループに分けてユニット化し、各ユニットを扉枠部材と分解可能に組み合わせて一枚の扉に組み立てたことを特徴とする自動販売機の外扉。
【請求項２】
請求項１記載の外扉において、各ユニットは鋼板製のユニット基板に当該ユニットのアセンブリ部品を組み付けた構成になり、かつ前記ユニット基板の周縁および扉枠部材の内周縁を裏面側に縁曲げした上で、各ユニットの相互間およびユニットと扉枠部材との間で前記縁曲げ部を嵌め合い結合して扉を組み立てたことを特徴とする自動販売機の外扉。
【請求項３】
請求項２記載の外扉において、各ユニットの相互間および扉枠部材との間の嵌め合い結合部に補強ジョイント部材を重ねて一体にボルト締結したことを特徴とする自動販売機の外扉。
【請求項４】
請求項１記載の外扉において、扉本体の外形に対応した鋼製のフレームを組立基板として、該基板上に各ユニットおよび扉枠部材を定位置に配置し、扉裏面側からフレームと一体にボルト締結して分解可能に扉を組み立てたことを特徴とする自動販売機の外扉。
【請求項５】
請求項４記載の外扉において、扉枠部材と各ユニットとにそれぞれ互い違いに係合片および係合穴を形成し、それぞれ対峙する係合片および係合穴を係合させることを特徴とする自動販売機の外扉。
【発明の詳細な説明】
【技術分野】
【０００１】
本発明は、自動販売機のキャビネット前面に配した外扉の組立構造に関する。
【背景技術】
【０００２】
まず、頭記した自動販売機の全体構成および外扉の従来構造を図８，図９に示す。図において、１は箱形の断熱筐体になるキャビネット、２はキャビネット１の前面に配した片開き式の外扉（メイン扉）、３は断熱内扉、４はキャビネット１の庫内に収設した商品収納ラック（例えばサーペンタイン式商品収納ラック）、５は商品搬出シュータ、６は商品取出口、７は庫内保冷用の冷凍機である。
【０００３】
ここで、従来の外扉２はその扉本体２ａが鋼板の板金，溶接構造になり、扉の上半部には商品見本８を陳列する電照室９を画成し、下部側に配した商品取出口６との間には販売操作部として扉裏面側にコイン機構１０，ビルバリデータ１１などを組み付け、扉前面側にはコイン機構１０，ビルバリデータ１１に通じるコイン投入口１２，紙幣挿入口１３，返却レバー１４，表示パネル１５，釣銭返却口１６，および扉ロック１７などの各種アセンブリ部品を装備しており、扉の吊り側（扉の左端）がヒンジ金具１８を介してキャビネット１の前面にヒンジ結合して開閉可能に装着されている。なお、９ａは商品陳列台を装備して電照室９の裏側に配してヒンジ結合した背面扉、１９は庫内の冷凍機７に通じる外気通風口であり、そのほか外扉２の裏面側には各種電装品も組み付けている。
【０００４】
また、図１０は前記の外扉２にアセンブリ部品を組み付ける以前の段階における扉本体２ａの正面図を表しており、一枚板になる扉板（鋼板）に前記電照室９，商品取出口６，販売操作部，および扉ロック１７の組み付け部品に対応した窓穴ａ〜ｇを打ち抜き加工した上で、この扉板の裏面側に扉枠（扉板周縁の左右と上辺），電照室の周枠，および各種アセンブリ部品の取り付け用座金などを溶接接合して扉本体２ａを構成している。
【０００５】
なお、前記した外扉の扉本体の製造に投入する鋼材を減らして材料費の節減化を図るようにするために、扉板に大きな面積を占有する電照室の窓穴を打ち抜く代わりに、扉の下半部に対応するサイズの扉板の上部側に扉枠および電照室の周枠を溶接接合した構成の外扉も知られている（例えば、特許文献１参照）
【特許文献１】特開２００３−４４９１９号公報
【発明の開示】
【発明が解決しようとする課題】
【０００６】
ところで、前記した板金，溶接構造になる従来の外扉は、製造およびその他の面で次記のような問題点がある。すなわち、
（１）扉本体を組み立てるために扉板には多数の構成部品を溶接接合することから、外扉の製造，組立ラインには大型の溶接設備を設備する必要があり、かつ溶接箇所も多くて製造コスト高となる。
（２）また、昨今ではロケーション先に据付けた自動販売機に対して、外扉を無理やりこじ開けて機内から金銭を盗み出す盗難事故が多発しており、その盗難の手口はバール，電動鋸などの工具を使って外扉の一部を破壊する手口が多い。このような被害を受けて破損した自動販売機の扉を補修する場合に、従来構造の外扉では部分的な補修ができず、扉本体をそっくり交換する必要があって補修費が嵩むことになる。
（３）さらに、自動販売機の同一機種でも、顧客（飲料メーカー）別に外扉の電照室，商品取出口などのデザイン（形状，色など）を変える場合に、従来の扉構造ではそのデザインに合わせて扉板の基本設計，プレス金型の製作を新たに行わなければならず、そのために経費と時間が掛かることになる。
【０００７】
本発明は上記の点に鑑みなされたものであり、その目的は前記課題を解決して製造コストの軽減化と併せて、ロケーション先での被害で破損した扉の部分的な補修に対応でき、さらに扉構成部品の一部を共用して顧客別のデザイン変更にも容易に対応できるように改良した自動販売機の外扉を提供することにある。
【課題を解決するための手段】
【０００８】
上記目的を達成するために、本発明によれば、扉本体に電照室,販売操作部，商品取出口，および扉ヒンジ，扉ロックに対応するアセンブリ部品を組み付けた自動販売機の外扉において、扉本体を前記電照室,販売操作部，商品取出口を個別もしくはグループに分けてユニット化し、各ユニットを扉枠部材と分解可能に組み合わせて一枚の扉に組み立てる（請求項１）ものとし、具体的には外扉を次記のような態様で構成する。
（１）前記の各ユニットは鋼板製のユニット基板に当該ユニットのアセンブリ部品を組み付けた構成になり、かつ前記ユニット基板の周縁および扉外枠部材の内周縁を裏面側に縁曲げした上で、各ユニットの相互間およびユニットと扉外枠部材との間で前記縁曲げ部を嵌め合い結合して扉を組み立てる（請求項２）。
（２）前項（１）において、扉の強度を高めるために、各ユニットの相互間および扉外枠部材との間の嵌め合い結合部に補強ジョイント部材を重ねて一体にボルト締結する（請求項３）。
（３）扉本体の外形に対応した鋼製のフレームを組立基板として、該基板上に各ユニットおよび扉枠部材を定位置に配置し、扉裏面側からフレームと一体にボルト締結して分解可能に扉を組み立てる（請求項４）。
（４）扉枠部材と各ユニットとにそれぞれ互い違いに係合片および係合穴を形成し、それぞれ対峙する係合片および係合穴を係合させる（請求項５）。
【発明の効果】
【０００９】
上記のように外扉をユニット組立構造としたことにより次記の効果を奏する。
（１）外扉の製造ラインには大型の溶接設備が不要で設備費を含めた製造コストの低減化が図れる。
（２）自動販売機のロケーション先で外扉の一部が破壊された被害を受けた場合でも、従来のように扉本体全体を交換することなく、破損された部分のユニットを交換するだけで据付け現地での補修にも容易に対応できる。
（３）自動販売機の顧客別に外扉のデザインを変える場合でも、そのデザイン変更部分に対応するユニットを別なデザインのユニットに置き替えるだけで、他の部品を共用して扉を組み立てることができる。
（４）しかも、各ユニットの相互間，および扉枠部材との間を縁曲げ嵌め合い結合した上で、結合部に補強ジョイント部材を併設した構造、もしくは扉外形に対応した組立フレームに各ユニットおよび扉枠部材を組み付けルことで、自動販売機の外扉として要求される強度を確保することができる。
【発明を実施するための最良の形態】
【００１０】
以下、本発明の実施の形態を図示実施例に基づいて説明する。なお、各実施例の図中で図８，図９に対応する部材には同じ符号を付してその説明は省略する。
【実施例１】
【００１１】
図１〜図３は本発明の請求項２，３に対応する実施例を示すものであり、図１（ａ）は外扉の正面図、図１（ｂ）は外扉の分解斜視図である。すなわち外扉２は、図１（ｂ）で示すように、窓枠（鋼板製）１８ａに電照板（透明プラスチック）１８ｂ，商品選択ボタン１８ｃを組み付けた電照板ユニット１８と、商品取出口６および釣銭返却口１６の部品を備えた下部ユニット１９と、コイン投入口１２，紙幣挿入口１３，返却レバー１４，表示パネル１５および扉ロック１７の各部品を搭載した販売操作部ユニット２０と、広告パネル表示用の小電照板９ｂ（図１（ａ）参照）に対応する電照板ユニット２１と、スペーサユニット２２と、扉の左，右（ヒンジ側と反対側）および上部側の分割枠２３ａ，２３ｂ，２３ｃに分割した扉枠２３とを組み合わせた組立体になり、前記ユニット１８〜２２および扉枠２３の相互間を次記のように結合して図１（ａ）の外扉２を構成している。
【００１２】
ここで、前記の各ユニット１８〜２２は板金加工品（鋼板）になる箱形基板にそのユニットに対応するアセンブリ部品を組み付けた構造で、各ユニットの基板周縁，および扉枠２３の内周縁は次記のように裏面側に向けて縁曲げした上で、ユニット相互間および扉枠との間を嵌め合い結合して一枚の扉を組み立てるようにしている。
【００１３】
すなわち、図２は電照板ユニット１８と扉枠２３との間の嵌め合い結合構造を例示したもので、扉枠２３の内周側に形成した縁曲げ部２３-1に電照板ユニット１８の窓枠周縁に形成し縁曲げ部を差し込んで、すなわち、扉枠２３の内周側に形成した縁曲げ部２３-1の上端から電照板ユニット１８の窓枠周縁に形成した縁曲げ部の下端を差し込んで電照板ユニット１８を下方にスライドさせることによって両者を嵌め合い結合し、さらにこの嵌め合い結合部の要所に補強ジョイント（Ｔ字形の鋼板）２４を重ね合わせてボルト２５により一体に締結している。この縁曲げ嵌め合い結合構造は他のユニットの相互間および扉枠２３との結合箇所にも適用しており、図３に扉の裏面側から見た外扉２の組立構造を示す。この扉組立構造によれば、溶接接合法を用いずに、従来構造と同等な強度を確保した外扉２を構成することができる。
【実施例２】
【００１４】
次に本発明の請求項４に対応する実施例を図４，図５で説明する。この実施例においては、先記実施例１と同様に外扉２を機能別のユニットと扉枠とに分けてユニット化した上で、各ユニットおよび扉枠を外扉２の外形に対応して作製した組立フレーム（鋼製）２６に組み付けて一枚の扉を組み立てるようにしている。
【００１５】
すなわち、組立フレーム２６の前面側には電照室ユニット１８，下部ユニット１９，および左右の分割枠２３ａ，２３ｂと上部の分割枠２３ｃに分割した扉枠を図示のようにレイアウトし、裏面側から一体にボルト締結して扉本体を構築し、さらに組立フレーム２６の裏面側には商品見本８の陳列台９ａ-1を装備した電照室の背面扉９ａを装備して外扉を構成している。
【００１６】
ここで、図４に示す外扉のデザインでは、下部ユニット１９を接客ユニットとして、ここに商品取出口６，広告パネルを表示する小電照板９ｂ（図１（ａ）参照），コイン投入口１２，紙幣挿入口１３とその裏面側に配したとコイン機構，ビルバリデータ，返却レバー１４，表示パネル１５，および釣銭返却口１６の各種部品を全て装備し、扉ロック１７は扉枠の右側分割枠２３ｂに組み付けている。
【００１７】
一方、図５に例示した外扉は図４と比べてデザインの一部を変更しており、下部ユニット１９には商品取出口６のほかに、小電照板９ｂ，紙幣挿入口１３と裏面側にビルバリデータとを装備し、コイン機構，コイン挿入口１２，返却レバー１４，釣銭返却口１６などの販売操作部および扉ロック１７の各部品を扉枠の右側分割枠２３ｂに組み付けている。
【００１８】
上記の構成によれは、先記実施例１と同様に溶接設備を使わずに外扉を組み立てることができ、さらに鋼材の組立フレーム２６を扉本体の基板としてここに各機能ユニット，扉枠を組み付けたことで、自動販売機の外扉として要求される強度を十分に確保できる。
【００１９】
また、自動販売機のロケーション先で外扉の一部が破壊された場合でも、破損部分に対応するユニットを付け替えるだけで、大きな補修費用を掛けずに据付け先現地でも簡単に補修できる。
【００２０】
さらに、図４，図５のようにユニット，扉枠の一部の仕様，デザインを変更して組立フレームに組み付けることにより、他の機能ユニット，扉枠を共用部品として顧客別にデザインを変えた外扉の製作にも簡単に対応できる。
【変形例】
【００２１】
次に、図４，図５に示す実施例における扉枠と各ユニットの結合強度を高めた変形例を図６，図７で説明する。図６，図７に示す変形例では前述した図４，図５に示した実施例に対して、組立フレーム２６の前面側には電照室ユニット１８，下部ユニット１９，および左右の分割枠２３ａ，２３ｂと上部の分割枠２３ｃに分割した扉枠を図示のようにレイアウトし、裏面側から一体にボルト締結して扉本体を構築する点は同一であり、扉枠（２３ａ，２３ｂ，２３ｃ）と各ユニットにそれぞれ対峙する係合片と係合穴とを互い違いに形成し、それぞれの係合片と係合穴とを係合させる点が相違している。なお、図６，図７においては扉枠（２３ａ，２３ｂ，２３ｃ）は左側分割枠２３ａを、各ユニットは電照室ユニット１８を代表として例示しており、また左側分割枠２３ａと電照室ユニット１８にそれぞれ対峙する係合片と係合穴を互い違いに形成してそれぞれを係合させた状態を理解し易くするため、左側分割枠２３ａと電照室ユニット１８に付属する各種部品は省略して基板となる枠体のみを示している。
【００２２】
図６において、１８で再び電照室ユニットを、２３ａで左側分割枠を示しており、左側分割枠２３ａの電照室ユニット１８との当接部には係合片２３１を形成し、一方、電照室ユニット１８の左側分割枠２３ａとの当接部には係合片１８１を形成するともに前記左側分割枠２３ａの係合片２３１と対峙する位置に係合穴１８２（図６（ｂ）参照）を形成している。また、左側分割枠２３ａにも前記電照室ユニット１８の係合片１８１と対峙する位置に係合穴を形成しているが、この係合穴は図面上では電照室ユニット１８に隠れて見えない。前記各係合片１８１，２３１は、図６（ｂ）に示すように、それぞれの枠体（図では電照室ユニット１８の枠体）に、前後方向の１辺を除く３辺に切り込み１８３を入れて前後方向の１辺を基端として曲げ起し、さらに係合片２３１は後方側を、係合片１８１は前方側を向くように折り曲げて形成される。前記左側分割枠２３ａと前記電照室ユニット１８との組み立ては、左側分割枠２３ａ，前記電照室ユニット１８にそれぞれ形成した互い違いの係合片２３１，１８１と係合穴１８２（左側分割枠２３ａの係合穴は電照室ユニット１８に隠れて見えないが、説明上その係合穴を２３２という）を対峙させてそれぞれの係合片２３１，１８１を係合穴１８２，２３２に嵌め込み、前記左側分割枠２３ａ，電照室ユニット１８をそれぞれ前後方向にスライドさせて係合片２３１，１８１と係合穴１８２，２３２とを係合させる。そして、図４及び図５に示す実施例と同様に、左側分割枠２３ａ，前記電照室ユニット１８を裏面側から一体にボルト締結する。
【００２３】
次に、図７は図６とは異なる変形例を示す。図７において、図６に示す変形例と異なる点は図６に示す変形例では左側分割枠２３ａ，前記電照室ユニット１８にそれぞれ形成した互い違いの係合片２３１，１８１の切り起し方向が前後方向であるのに対し、図７に示す変形例では係合片２３５，１８５の切り起し方向が上下方向である点である。すなわち、それぞれの枠体（図では電照室ユニット１８の枠体）に、上下方向の１辺を除く３辺に切り込み１８６を入れて上下方向の１辺を基端として曲げ起し、さらに係合片２３５は上方側を、係合片１８５は下方側を向くように折り曲げて形成される。そして、左側分割枠２３ａと前記電照室ユニット１８との組み立ては、左側分割枠２３ａ，前記電照室ユニット１８にそれぞれ形成した互い違いの係合片２３５，１８５と係合穴１８７（左側分割枠２３ａの係合穴は電照室ユニット１８に隠れて見えないが、説明上その係合穴を２３７という）を対峙させてそれぞれの係合片２３５，１８５を係合穴１８７，２３７に嵌め込み、前記左側分割枠２３ａ，電照室ユニット１８をそれぞれ上下方向にスライドさせて係合片２３１，１８１と係合穴１８２，２３２とを係合させ、左側分割枠２３ａ，前記電照室ユニット１８を裏面側から一体にボルト締結する。
【００２４】
前述した図６，図７に示す変形例においては、扉枠（２３ａ，２３ｂ，２３ｃ）と各ユニットとの結合が強化され、自動販売機のキャビネットに片開き式にヒンジ結合される扉の変形や歪を抑制することができる。
【００２５】
なお、図６，図７では、扉枠（２３ａ，２３ｂ，２３ｃ）と各ユニットとの結合について説明したが、組立フレーム２６（図４参照）と、扉枠（２３ａ，２３ｂ，２３ｃ）または各ユニットとの結合に適用することもできる。
【図面の簡単な説明】
【００２６】
【図１】本発明の実施例１に対応する外扉の構成図で、（ａ）,（ｂ）はそれぞれ正面図、および分解斜視図
【図２】図１における扉枠と電照板ユニットとの縁曲げ嵌め合い結合部の拡大断面図
【図３】図１の扉組立構造を扉の裏面側から見た部分拡大図
【図４】本発明の実施例２に対応する外扉の組立構造を表す分解斜視図
【図５】図４と異なるデザインの扉組立構造を表す分解斜視図
【図６】本発明の変形例を示し、（ａ）は扉枠と電照板ユニットとの結合部の拡大断面図、（ｂ）は（ａ）のＰ矢視図
【図７】図６とは異なる本発明の変形例を示し、（ａ）は扉枠と電照板ユニットとの結合部の拡大断面図、（ｂ）は（ａ）のＰ矢視図
【図８】従来における自動販売機の正面図
【図９】図６の外扉開放状態を表す外観図斜視図
【図１０】図６に示した外扉についてアセンブリ部品を組み付ける以前の状態を表す扉板の正面図
【符号の説明】
【００２７】
１    自動販売機のキャビネット
２    外扉
６    商品取出口
８    商品見本
９    電照室
１０    コイン機構
１１    ビルバリデータ
１２    コイン投入口
１３    紙幣挿入口
１４    返却レバー
１５    示パネル
１６    釣銭返却口
１７    扉ロック
１８    電照板ユニット
１９    下部ユニット
２０    販売操作部ユニット
２１    小電照板ユニット
２３    扉枠
２３ａ〜２３ｃ  分割枠
２５    補強ジョイント
２５    締結ボルト
２６    組立フレーム
【図１】
2005228285.tif 000003
【図２】
2005228285.tif 000004
【図３】
2005228285.tif 000005
【図４】
2005228285.tif 000006
【図５】
2005228285.tif 000007
【図６】
2005228285.tif 000008
【図７】
2005228285.tif 000009
【図８】
2005228285.tif 000010
【図９】
2005228285.tif 000011
【図１０】
2005228285.tif 000012